(57)【要約】【課題】ヒトグリコーゲンシンターゼキナーゼ３（ＧＳＫ３）の３次元構造、ＧＳＫ３構築物の結晶、ＧＳＫ３構築物の結晶形成の方法、ＧＳＫ３構築物の結晶構造の決定方法、およびＧＳＫ３の３次元構造を用いて、ＧＳＫ３活性によって媒介される種々の疾患状態の処置について可能性のある治療用化合物を同定する方法の提供。【解決手段】ヒトグリコーゲンシンターゼキナーゼ３（ＧＳＫ３）の３次元構造、ＧＳＫ３構築物の結晶、ＧＳＫ３構築物の結晶形成の方法、ＧＳＫ３構築物の結晶構造の決定方法、およびＧＳＫ３の３次元構造を用いて、ＧＳＫ３活性によって媒介される種々の疾患状態の処置について可能性のある治療用化合物を同定する方法。【選択図】なし【特許請求の範囲】
【請求項１】
ＧＳＫ３タンパク質の原子モデルデータを記憶する、コンピュータ読み取り可能媒体であって、該モデルデータが、
（ａ）コンピュータ読み取り可能媒体を提供する工程であって、該媒体は、結晶
形態にあるＧＳＫ３タンパク質の原子座標／Ｘ線回折データを該媒体上に記憶し
ており、該データはＧＳＫ３タンパク質の３次元構造をモデル化するのに十分で
ある、工程；
（ｂ）工程（ａ）からの原子座標／Ｘ線回折データを分析し、ＧＳＫ３タンパク
質の原子モデルを規定するデータ出力を提供する工程；および
（ｃ）該ＧＳＫ３タンパク質の３次元構造を規定する原子モデル出力データを得
る工程、
を包含する、方法によって、生成される、コンピュータ読み取り可能媒体。
【発明の詳細な説明】
【技術分野】
【０００１】
（発明の分野）
本発明は、以下に関する：ヒトグリコーゲンシンターゼキナーゼ３（ＧＳＫ３
）の３次元構造、ＧＳＫ３構築物の結晶、ＧＳＫ３構築物の結晶形成の方法、Ｇ
ＳＫ３構築物の結晶構造の決定方法、およびＧＳＫ３の３次元構造を用いて、Ｇ
ＳＫ３活性によって媒介される種々の疾患状態の処置について可能性のある治療
用化合物を同定する方法。
【背景技術】
【０００２】
（発明の背景）
グリコーゲンシンターゼキナーゼ３（ＧＳＫ３）は、セリン／スレオニンキナ
ーゼであって、これに関しては２つのアイソフォームであるαおよびβが、同定
されている。Ｗｏｏｄｇｅｔｔ、Ｔｒｅｎｄｓ  Ｂｉｏｃｈｅｍ．Ｓｃｉ．，１
６：１７７〜８１（１９９１）。ＧＳＫアイソフォームの両方とも、休止してい
る細胞において構成的に活性である。ＧＳＫ３はもともと、直接リン酸化によっ
てグリコーゲンシンターゼを阻害するキナーゼとして同定された。インスリン活
性化の際、ＧＳＫ３は不活性化され、それによってグリコーゲンシンターゼの活
性化、および可能性としては他のインスリン依存性事象（例えば、グルコース輸
送）を可能にする。その後、ＧＳＫ３活性はまた、インスリンのように、レポー
ターチロシンキナーゼ（ＲＴＫ）を通じてシグナル伝達する他の増殖因子によっ
て不活性化されることが示されている。このようなシグナル伝達分子の例として
は、ＩＧＦ−１およびＥＧＦが挙げられる。Ｓａｉｔｏら、Ｂｉｏｃｈｅｍ．Ｊ
．、３０３：２７〜３１（１９９４）；Ｗｅｌｓｈら、Ｂｉｏｃｈｅｍ．Ｊ．、
２９４：６２５〜２９（１９９３）；およびＣｒｏｓｓら、Ｂｉｏｃｈｅｍ．Ｊ
．、３０３：２１〜２６（１９９４）。
【０００３】
ＧＳＫ３活性を阻害する因子は、ＧＳＫ３活性によって媒介される障害の処置
に有用である。さらに、ＧＳＫ３の阻害は、増殖因子シグナル伝達経路の活性化
を模倣し、そして結果としてＧＳＫ３インヒビターは、このような経路が十分に
活性でない疾患の処置において有用である。ＧＳＫ３インヒビターで処置され得
る疾患の例としては、特に、糖尿病、アルツハイマー病、ＣＮＳ障害（例えば、
双極性障害）、および免疫増強作用関連状態などが挙げられる。
【０００４】
ＧＳＫ３のインヒビターは、多くの疾患の処置において有用であるので、ＧＳ
Ｋ３の新しいインヒビターの同定は、非常に望ましい。本発明は、ＧＳＫ３活性
によって媒介される種々の疾患状態の処置のための、可能性のある治療用化合物
を同定するための方法を提供する。本発明の方法は、可能性のある治療用化合物
を同定し、そしてリード治療用化合物の構造を至適化するためのタンパク質の触
媒性ドメインを含む、ＧＳＫ３構築物の３次元構造を利用する。
【発明の開示】
【課題を解決するための手段】
【０００５】
本発明によって以下が提供される：
（１）  ＧＳＫ３タンパク質の原子モデルを提供する方法であって、
該方法は、以下：
（ａ）コンピュータ読み取り可能媒体を提供する工程であって、該媒体は、結晶
形態にあるＧＳＫ３タンパク質の原子座標／Ｘ線回折データを該媒体上に記憶し
ており、該データはＧＳＫ３タンパク質の３次元構造をモデル化するのに十分で
ある、工程；
（ｂ）工程（ａ）からの原子座標／Ｘ線回折データを分析し、ＧＳＫ３タンパク
質の原子モデルを規定するデータ出力を提供する工程；および
（ｃ）該ＧＳＫ３タンパク質の３次元構造を規定する原子モデル出力データを得
る工程、
を包含する、方法。
（２）  項目１に記載の方法によって生成されるＧＳＫ３タンパク
質の原子モデルデータを記憶する、コンピュータ読み取り可能媒体。
（３）  項目１に記載の方法によって生成されたリガンドモデルの
原子モデルの物理学的モデルに対応するＧＳＫ３−βリガンド。
（４）  ＧＳＫ３タンパク質に結合するリガンドを設計する方法であ
って、該方法は、表２に提供されるＧＳＫ３構築物の原子座標のいくつかまたは
全てを使用する工程を包含する、方法。
（５）  ＧＳＫ３タンパク質に結合するリガンドを設計する方法であ
って、該方法は、以下：
（ａ）精製されたＧＳＫ３タンパク質を提供する工程；
（ｂ）該精製されたＧＳＫ３タンパク質を結晶化して、生物学的活性を有する結
晶化されたＧＳＫ３タンパク質を提供する工程；
（ｃ）該結晶化されたＧＳＫ３タンパク質の構造を、Ｘ線結晶解析を使用して解
き、該ＧＳＫ３タンパク質の３次元構造決定に適切したデータを得る工程；
（ｄ）該結晶化されたＧＳＫ３タンパク質の構造を解くことにより生成されたデ
ータをコンピュータアルゴリズムに適用して、該ＧＳＫ３タンパク質の活性部位
に結合するリガンドを設計する用途に適した該ＧＳＫ３タンパク質のモデルを生
成する、工程；および
（ｅ）反復プロセスを適用し、これによって、分子構造を該コンピュータで生成
されたモデルに適用し、ＧＳＫ３結合リガンドを同定する、工程、
を包含する、方法。
（６）  項目５に記載の方法であって、前記タンパク質は表２に示
される原子座標を含む、方法。
（７）  項目５に記載の方法であって、ここで前記タンパク質が配
列番号１で示されるアミノ酸配列またはその活性な変異体もしくは改変体を含む
、方法。
（８）  項目４〜７のいずれか１項に記載の方法によって設計され
る、ＧＳＫ結合リガンド。
（９）  潜在的なメディエーターとＧＳＫ３結合部位との間の結合相
互作用を決定することによって、ＧＳＫ３メディエーターを同定する方法であっ
て、該結合部位は、表２に示される原子座標の少なくともいくつかの原子座標に
よって規定され、該方法は、以下：
（ａ）該結合部位によって規定される結合キャビティを、コンピュータスクリー
ン上の生成する工程；
（ｂ）これらの空間構造を有する化合物を生成する工程；および
（ｃ）該化合物がＧＳＫ３結合部位に結合するか否かを決定する工程、
を包含する、方法。
（１０）  ＧＳＫ３活性を媒介する化合物を同定する方法であって、
該方法は、以下：
（ａ）ＧＳＫ３についての潜在的メディエーターを設計する工程であって、該メ
ディエーターは、表２に示される原子構造座標の少なくともいくつかに基づくＧ
ＳＫ３結合部位内のアミノ酸と非共有結合を形成する、工程；
（ｂ）該潜在的メディエーターを得る工程；および
（ｃ）該潜在的メディエーターがＧＳＫ３タンパク質の活性を媒介するか否かを
決定する工程、
を包含する、方法。
（１１）  ＧＳＫ３活性を媒介する化合物を同定する方法であって、
該方法は、以下：
（ａ）表２に示される原子座標によって規定されるＧＳＫ３の三次元構造を使用
して、潜在的メディエーターを設計または選択する工程；
（ｂ）該潜在的メディエーターを得る工程；および
（ｃ）該潜在的メディエーターとＧＳＫ３とを接触させ、該潜在的メディエータ
ーがＧＳＫ３の活性を媒介するか否かを決定する工程、
を包含する、方法。
（１２）  分子または分子複合体の三次元表示を生成するコンピュー
タであって、ここで、該分子または分子複合体は、表２に提供されるＧＳＫ３の
原子座標または該分子もしくは分子複合体のホモログの三次元表示のうち少なく
ともいくつかによって規定される結合ポケットを含み、ここで、該コンピュータ
は以下：
（ａ）機械読み取り可能データ記憶媒体であって、該媒体は、機械読み取り可能
データでコードされたデータ記憶物を含み、ここで該データは表２に示される原
子座標を含む、記憶媒体；
（ｂ）ワーキングメモリであって、該機械読み取り可能データを処理するための
命令を記憶するためのワーキングメモリ；
（ｃ）該機械読み取り可能データを該三次元表示に処理するための、該ワーキン
グメモリおよび該機械読み取り可能データ記憶媒体に接続された中央演算処理装
置；および
（ｄ）該三次元表示を表示するために該中央演算処理装置に接続されたディスプ
レイ、
を備える、コンピュータ。
（１３）  分子または分子複合体のＸ線回折パターンに対応する原子
座標の少なくとも一部分を決定するためのコンピュータであって、ここで該コン
ピュータは、以下：
（ａ）機械読み取り可能データ記憶媒体であって、該媒体は、機械読み取り可能
データでコードされたデータ記憶物を含み、ここで該データは表２において示さ
れる原子座標の少なくとも一部分を含む、記憶媒体；
（ｂ）機械読み取り可能データ記憶媒体であって、該媒体は、機械読み取り可能
データでコードされたデータ記憶物を含み、ここで該データは、該分子または分
子複合体のＸ線回折パターンを含む、記憶媒体；
（ｃ）（ａ）および（ｂ）の機械読み取り可能データを処理するための命令を記
憶するためのワーキングメモリ；
（ｄ）（ａ）の該機械読み取り可能データのフーリエ変換を実施するため、およ
び（ｂ）の機械読み取り可能データを構造座標に処理するための、（ａ）および
（ｂ）の該ワーキングメモリおよび該機械読み取り可能データ記憶媒体に接続さ
れた中央演算処理装置；および
（ｅ）分子または分子複合体の構造座標を表示するために該中央演算処理装置に
接続されたディスプレイ、
を備える、コンピュータ。
（１４）  ヒトグリコーゲンシンターゼキナーゼ３（ＧＳＫ３）タン
パク質を結晶化する方法であって、該方法は以下：
（ａ）精製されたＧＳＫ３タンパク質を提供する工程；および
（ｂ）該精製されたＧＳＫ３タンパク質を結晶化して、生物学的活性を有する結
晶化されたＧＳＫ３タンパク質を提供する工程であって、ここで、該タンパク質
は、約１０〜約１４重量％のポリエチレングリコール溶液、約９〜約１３重量％
の２−メチル−２，４−ペンタンジオールおよび約１８〜約２２重量％グリセロ
ールを含む、溶液から結晶化され、そして、ここで、結晶化されたＧＳＫ３タン
パク質はＸ線結晶解析を使用して、ＧＳＫ３タンパク質の三次元構造決定に適し
たＸ線パターンを得るために解析可能である、工程、
を包含する、方法。
（１５）  前記ＧＳＫ３タンパク質を結晶化する工程がハンギングド
ロップ蒸着拡散法によって結晶化することを包含する、項目１４に記載の方法
。
（１６）  前記タンパク質が表２に示される原子座標を含む、項目
１４に記載の方法。
（１７）  前記タンパク質が、配列番号１に示されるアミノ酸配列ま
たはその活性な変異体もしくは改変体を含む、項目１４に記載の方法。
（１８）  項目１４に記載の方法によって提供される結晶化された
ＧＳＫ３。
（発明の要旨）
本発明に従って、ヒトグリコーゲンシンターゼキナーゼ３（ＧＳＫ３）の構築
物の３次元構造が提供される。
【０００６】
１つの局面において、本発明は、タンパク質の触媒性キナーゼドメインを含む
ヒトグリコーゲンシンターゼキナーゼ３−β（ＧＳＫ３−β）の構築物の結晶を
提供する。
【０００７】
本発明の別の局面において、構造決定のために十分なＧＳＫ３結晶を提供する
ためにタンパク質構築物を結晶化する方法が提供される。
【０００８】
さらなる局面において、ＧＳＫ３構築物の３次元構造が提供される。
【０００９】
なお別の局面において、ＧＳＫ活性によって媒介される種々の疾患状態の処置
において可能性のある治療用化合物の同定のための、ＧＳＫ構築物の３次元構造
を用いる方法が提供される。
【発明を実施するための最良の形態】
【００１０】
（好ましい実施形態の詳細な説明）
本発明に従って、タンパク質の触媒性キナーゼドメインを含むヒトグリコーゲ
ンシンターゼキナーゼ３−β（ＧＳＫ３−β）のタンパク質構築物の結晶、この
タンパク質構築物を結晶化する方法、このタンパク質構築物の３次元構造、およ
びＧＳＫ３−β活性によって媒介される種々の疾患状態の処置における可能性の
ある治療用化合物の同定のためにこの３次元構造を用いる方法が提供される。
【００１１】
（ＧＳＫ３−βタンパク質構築物：発現、精製、および結晶化）
１つの局面において、本発明は、タンパク質の触媒性キナーゼドメインを含む
ＧＳＫ３−β構築物を含む組成物を提供する。この構築物は、ヒトＧＳＫ３−β
の少なくとも残基３７〜３８４を含み、そしてタンパク質のＣ末端の３６アミノ
酸を欠く。この組成物は、Ｘ線による回折研究による構造決定のために十分な結
晶性形状である。
【００１２】
本明細書に記載される構築物以外のＧＳＫ３タンパク質構築物、例えば、その
活性な変異体または改変体は、ＧＳＫ３活性によって媒介される種々の疾患状態
の処置において可能性のある治療用化合物を同定するのに有用な３次元構造情報
を提供し得る。
【００１３】
（構築物の配列）構築物の配列である配列番号１を以下に提供する。そのアス
タリスク（星印）は、結晶構造においてみられる第一の残基を示す。以下の構築
物およびさらなる有用な構築物およびそれらの調製物は、同時係属中の米国特許
出願第６０／２２１，２４２号（２０００年７月２７日出願）に記載されており
、その開示はその全体が参考としてそして全ての目的のために本明細書に援用さ
れている。
【００１４】
Ｎ−末端：ＭＥＹＭＰＭＥＧＧＧＧＳＫ
【００１５】
【化１】
2006221669.tif 000002
（構築物の精製）。ＧＳＫ３−β  ５８０  ｃＤＮＡ構築物を保有するバキュ
ロウイルスに感染したＳＦ−９細胞から、ＧＳＫ３−βタンパク質構築物を抽出
した。このＧＳＫ３−βタンパク質構築物を、Ｓ−Ｆｒａｃｔｏｇｅｌ、Ｐｈｅ
ｎｙｌ−６５０Ｍ、およびＧｌｕ−ｔａｇアフィニティークロマトグラフィーを
用いて明白な均一性まで精製した。次いで精製したタンパク質を結晶化のために
濃縮した。構築物の精製は、実施例１に記載されている。
【００１６】
（構築物の結晶化）。タンパク質結晶は、例えば、懸滴技術によってＧＳＫ構
築物の溶液から形成され得る。構造決定のために適切なＧＳＫ３構築物の適切な
結晶を形成するための代表的な方法は、実施例２に記載されている。
【００１７】
種々の結晶化方法（例えば、微結晶化方法を含む）を利用して、ＧＳＫ３活性
によって媒介される種々の疾患状態の処置において可能性のある治療化合物を同
定するのに有用な３次元構造情報を得ることが理解される。
【００１８】
（ＧＳＫ３−βタンパク質構築物の構造）
本発明の別の局面において、ＧＳＫ３タンパク質構築物の３次元構造が提供さ
れる。Ｘ線回析データ由来のアミノ酸配列データおよび原子座標を用いて構築物
の３次元構造を決定した。構築物の原子座標を、Ｘ線回析および相データの組み
合わせから生成した電子密度マップから算出した。
【００１９】
構造決定に適切な結晶型において有用なＧＳＫ３構築物を用いて、種々の技術
によって結晶構造が得られ得る。代表的な方法において、Ｘ線画像プレートデバ
イスを用いて回析パターンを得た。次いで、分子置換および交差結晶平均技術の
組み合わせによって相データを得た。次いで、電子密度マップを構築し、そして
その構造を解析して分子を構築した。得られた構造を洗練してその構造を確認し
た。最終結果は、ＧＳＫ３構築物の原子モデルであった。ＧＳＫ結晶構造を得る
ための代表的な方法は、実施例３に記載されている。
【００２０】
ＧＳＫ３構造が種々の方法で解析され得ることが理解される。
【００２１】
結晶解析データを回収するための統計値を表１にまとめる。
【００２２】
【表１】
2006221669.tif 000003
原子座標の表化形式として提供されたＧＳＫ３−β構築物の３次元構造を表２
に示す。この表において、「ＯＨ２」および「ＧＯＬ」とは、構造的な水および
グリセロールの分子をいい、そして「ＴＥＲ」とは、ペプチド鎖の末端をいう。
【００２３】
【表２】
2006221669.tif 000004
2006221669.tif 000005
2006221669.tif 000006
2006221669.tif 000007
2006221669.tif 000008
2006221669.tif 000009
2006221669.tif 000010
2006221669.tif 000011
2006221669.tif 000012
2006221669.tif 000013
2006221669.tif 000014
2006221669.tif 000015
2006221669.tif 000016
2006221669.tif 000017
2006221669.tif 000018
2006221669.tif 000019
2006221669.tif 000020
2006221669.tif 000021
2006221669.tif 000022
2006221669.tif 000023
2006221669.tif 000024
2006221669.tif 000025
2006221669.tif 000026
2006221669.tif 000027
2006221669.tif 000028
2006221669.tif 000029
2006221669.tif 000030
2006221669.tif 000031
2006221669.tif 000032
2006221669.tif 000033
2006221669.tif 000034
2006221669.tif 000035
2006221669.tif 000036
2006221669.tif 000037
2006221669.tif 000038
2006221669.tif 000039
2006221669.tif 000040
2006221669.tif 000041
2006221669.tif 000042
2006221669.tif 000043
2006221669.tif 000044
2006221669.tif 000045
2006221669.tif 000046
2006221669.tif 000047
2006221669.tif 000048
2006221669.tif 000049
2006221669.tif 000050
2006221669.tif 000051
2006221669.tif 000052
2006221669.tif 000053
2006221669.tif 000054
2006221669.tif 000055
2006221669.tif 000056
2006221669.tif 000057
2006221669.tif 000058
2006221669.tif 000059
2006221669.tif 000060
2006221669.tif 000061
2006221669.tif 000062
2006221669.tif 000063
2006221669.tif 000064
2006221669.tif 000065
2006221669.tif 000066
2006221669.tif 000067
2006221669.tif 000068
2006221669.tif 000069
2006221669.tif 000070
2006221669.tif 000071
2006221669.tif 000072
2006221669.tif 000073
2006221669.tif 000074
2006221669.tif 000075
2006221669.tif 000076
2006221669.tif 000077
2006221669.tif 000078
2006221669.tif 000079
2006221669.tif 000080
2006221669.tif 000081
2006221669.tif 000082
2006221669.tif 000083
2006221669.tif 000084
2006221669.tif 000085
2006221669.tif 000086
2006221669.tif 000087
2006221669.tif 000088
2006221669.tif 000089
2006221669.tif 000090
2006221669.tif 000091
2006221669.tif 000092
2006221669.tif 000093
2006221669.tif 000094
2006221669.tif 000095
2006221669.tif 000096
2006221669.tif 000097
2006221669.tif 000098
2006221669.tif 000099
2006221669.tif 000100
2006221669.tif 000101
2006221669.tif 000102
2006221669.tif 000103
2006221669.tif 000104
2006221669.tif 000105
2006221669.tif 000106
2006221669.tif 000107
2006221669.tif 000108
2006221669.tif 000109
2006221669.tif 000110
2006221669.tif 000111
2006221669.tif 000112
2006221669.tif 000113
2006221669.tif 000114
2006221669.tif 000115
2006221669.tif 000116
2006221669.tif 000117
2006221669.tif 000118
2006221669.tif 000119
2006221669.tif 000120
2006221669.tif 000121
2006221669.tif 000122
2006221669.tif 000123
2006221669.tif 000124
2006221669.tif 000125
2006221669.tif 000126
2006221669.tif 000127
2006221669.tif 000128
2006221669.tif 000129
2006221669.tif 000130
2006221669.tif 000131
2006221669.tif 000132
2006221669.tif 000133
2006221669.tif 000134
2006221669.tif 000135
2006221669.tif 000136
2006221669.tif 000137
2006221669.tif 000138
2006221669.tif 000139
2006221669.tif 000140
2006221669.tif 000141
2006221669.tif 000142
2006221669.tif 000143
2006221669.tif 000144
2006221669.tif 000145
2006221669.tif 000146
2006221669.tif 000147
2006221669.tif 000148
2006221669.tif 000149
2006221669.tif 000150
2006221669.tif 000151
2006221669.tif 000152
2006221669.tif 000153
2006221669.tif 000154
2006221669.tif 000155
2006221669.tif 000156
2006221669.tif 000157
2006221669.tif 000158
2006221669.tif 000159
2006221669.tif 000160
2006221669.tif 000161
2006221669.tif 000162
2006221669.tif 000163
2006221669.tif 000164
2006221669.tif 000165
2006221669.tif 000166
2006221669.tif 000167
2006221669.tif 000168
2006221669.tif 000169
2006221669.tif 000170
2006221669.tif 000171
2006221669.tif 000172
2006221669.tif 000173
2006221669.tif 000174
誘導された結晶構築物に基づくＧＳＫ３−β構築物の３次元構造は、図１に図
解的に例示されている。この構築物は、Ｎ末端ドメインおよびＣ末端ドメインを
含み、この２つのドメインの間に活性部位が形成されている。このＮ末端ドメイ
ンは、βバレル（β−ｂａｒｒｅｌ）を備える。活性部位領域は、ＡＴＰ結合部
位、マグネシウム結合／触媒性塩基部位、および基質結合部位を含む。
【００２４】
誘導された結晶構造に基づくＧＳＫ３−β構築物の活性部位（触媒性部位およ
び基質結合部位を含む）の３次元構造は、図２に図解的に例示されている。この
活性部位は、他のアミノ酸残基のなかでもＰｒｏ１３６およびＰｈｅ６７を含む
。
【００２５】
アポタンパク質活性部位の構造情報によって、ＧＳＫ３−β活性によって媒介
される種々の疾患状態の処置において効果的な治療用化合物を導くリガンドの合
理的な設計のための基礎が提供され得る。従って、以下に記載するように、リガ
ンドプロフィールを開発するために、そしてＧＳＫ３−β活性を媒介するための
薬物の合理的な設計のために、結晶解析データから得た構造的な情報を用い得る
。
【００２６】
（ＧＳＫ３の構造的な表示）。上記で注記されたように、１つの局面において
、本発明は、ＧＳＫ３−β活性によって媒介される種々の疾患状態の処置におい
て可能性のある治療用化合物を同定するための方法を提供する。この方法は、Ｇ
ＳＫ構築物の３次元構造的な表示の使用を包含する。３次元構造的な表示は、以
下の表示であり得る：（ａ）完全なＧＳＫ構築物、（ｂ）ＧＳＫ構築物を含むＧ
ＳＫ３のフラグメント、または（ｃ）ＧＳＫ３活性を媒介し得るリガンドと相互
作用するアミノ酸を含むＧＳＫ構築物のフラグメント。
【００２７】
構造的な表示は好ましくは、完全なＧＳＫ構築物の構造を表示する、表２に示
される原子座標に基づくかまたはその原子座標に由来する。適切な構造的な表示
は、これらの原子座標から誘導された、３次元モデルおよび分子表面を含む。表
２におけるこの座標は、構造的な水およびグリセロール分子を含む。これらは、
変化し、そして構造的に誘導された他のモデル（それらは、解像度および空間群
に依存性である）には存在さえしないかもしれない。これらの溶媒分子は結晶ご
と結晶に変化する。
【００２８】
表２に注記された原子座標の改変体（例えば、表２に記された原子座標と比べ
て、重原子（すなわち、水素でない）全てについてのｘ、ｙ、およびｚ座標のＲ
ＭＳ偏差が、約２．５Å未満、例えば、約２Å未満、好ましくは、約１Å未満、
より好ましくは約０．５Å未満、最も好ましくは０．１Å未満である改変体）は
また、本発明のために用いられ得る。原子の３次元空間関係を保持する座標変換
はまた、適切な改変体を得るために用いられ得る。
【００２９】
本明細書において提供される原子座標はまた、さらなるタンパク質構造のモデ
ルの基礎として用いられ得る。例えば、相同性モデルは、ＧＳＫ構築物の構造に
基づき得る。この座標はまた、ＧＳＫ３のさらなる結晶構造（例えば、新しいリ
ガンドとの共結晶構造）の解像または洗練において用いられ得る。
【００３０】
（ＧＳＫ３構造の再表示用の記憶媒体）。ＧＳＫ構築物の原子座標は、コンピ
ューター（例えば、スーパーコンピューター、メインフレームコンピューター、
ミニコンピューター、またはマイクロプロセッサ）のような計算装置（コンピュ
ーターデバイス）でのその後の使用のための媒体に記憶され得る。代表的に、こ
の座標は、磁気媒体または光学媒体のような、大量のデータを保持するのに有用
な媒体（例えば、フロッピー（登録商標）ディスク、ハードディスク、コンパク
トディスク、光磁気媒体（「フロプティカル」ディスク、または磁気テープ）、
または電子媒体（例えば、ランダムアクセスメモリー（ＲＡＭ）、またはリード
オンリーメモリー（ＲＯＭ）））に記憶される。この記憶媒体は、コンピュータ
ーに対してローカルであり得るか、またはリモートであり得る（例えば、インタ
ーネットを含む、ネットワーク化された記憶媒体）。コンピューター、記憶媒体
、ネットワーク化、および他のデバイスまたは技術の選択は、構造化学／計算機
化学の分野の当業者に周知である。
【００３１】
本発明はまた、コンピューターのためのコンピューター読み取り可能な媒体を
提供する。これには、ＧＳＫ構築物の原子座標および／または３次元構造表示を
含む。原子座標は好ましくは、表２に記される座標またはその改変である。任意
の適切なコンピューターが、本発明において用いられ得る。
【００３２】
（ＧＳＫ３−βリガンドプロフィールの開発）。上記のように、結晶学データ
から得た構造情報を用いて、ＧＳＫ３−β活性を媒介する化合物の合理的な設計
に有用であるリガンドプロフィールを開発し得る。リガンドプロフィールは、ア
ポタンパク質について上記のように得られた構造情報を考慮して開発され得る。
このリガンドプロフィールはさらに、結合したリガンドを有するタンパク質のさ
らなる構造の決定によって開発され、そして洗練される。最終的に開発されたリ
ガンドプロフィールは、ＧＳＫ３−β活性を媒介する可能性のある治療用化合物
を同定する。
【００３３】
このリガンドプロフィールは主に、リガンドとタンパク質のリガンド結合部位
との間の形状的な相互作用に基づき得る。形状的な相互作用の評価は、リガンド
のコンホメーション特性の考慮を含み得、これによって、そのリガンドが、リガ
ンド結合部位と適合性の低エネルギーコンホメーションを達成する能力に基づい
てリガンドをランク付けする。形状的な相互作用はまた、リガンドと結合部位と
の間のエンタルピーの相互作用を最大化することを探求し得る。
【００３４】
リガンドプロフィールを開発するプロセスは非常に広範であり得る。例えば、
プロフィールは、専門家による活性な部位の構造の視覚検査によって開発され得
る。このような検査は、結合部位およびリガンド構造の考慮、ならびに化合物デ
ータベース検索を包含し得る。プロフィールの開発はまた、他の類似のタンパク
質との既知のリガンド結合相互作用の考慮と同様に、生物学的データおよび構造
活性関係（ＳＡＲ）を考慮し得る。
【００３５】
いずれの事象においても、一次相互作用および二次相互作用を含むリガンド結
合相互作用を考慮することによって、このリガンドプロフィールは、開発され、
そして結果としてファルマコフォアを規定する。用語「ファルマコフォア」とは
、リガンド活性を担う特定の特徴を示す、化学的特徴および３次元的制約の収集
をいう。ファルマコフォアとしては、他の特徴のなかでも、表面アクセス可能特
徴、水素結合ドナーおよびアクセプター、荷電基／イオン化基、および／または
疎水性パッチが挙げられる。
【００３６】
上記のリガンドプロフィール開発のためのプロセスに加えて、構造に基づく他
の薬物設計技術が、ＧＳＫ３と相互作用してＧＳＫ３活性を媒介する化合物を同
定するために、ＧＳＫ３構築物の構造的表示に適用され得る。種々の適切な技術
が当業者に利用可能である。
【００３７】
構造に基づく薬物設計における使用のために分子モデリング技術を実行するた
めのソフトウェアパッケージとしては、なかでも以下が挙げられる：ＳＹＢＹＬ
（Ｔｒｉｐｏｓ  Ｉｎｃ．，ｈｔｔｐ：／／ｗｗｗ／ｔｒｉｐｏｓ．ｃｏｍから
入手可能）；ＡＭＢＥＲ（Ｏｘｆｏｒｄ  Ｍｏｌｅｃｕｌａｒ，ｈｔｔｐ：／／
ｗｗｗ／ｏｘｍｏｌ．ｃｏ．ｕｋ／から入手可能）；ＣＥＲＩＵＳ２（Ｍｏｌｅ
ｃｕｌａｒ  Ｓｉｍｕｌａｔｉｏｎｓ  Ｉｎｃ．，ｈｔｔｐ：／／ｗｗｗ／ｍｓ
ｎ．ｃｏｍ／から入手可能）；ＩＮＳＩＧＨＴ  ＩＩ（Ｍｏｌｅｃｕｌａｒ  Ｓ
ｉｍｕｌａｔｉｏｎｓ  Ｉｎｃ．，ｈｔｔｐ：／／ｗｗｗ／ｍｓｎ．ｃｏｍ／か
ら入手可能）；ＣＡＴＡＬＹＳＴ（Ｍｏｌｅｃｕｌａｒ  Ｓｉｍｕｌａｔｉｏｎ
ｓ  Ｉｎｃ．，ｈｔｔｐ：／／ｗｗｗ／ｍｓｎ．ｃｏｍ／から入手可能）；ＱＵ
ＡＮＴＡ（Ｍｏｌｅｃｕｌａｒ  Ｓｉｍｕｌａｔｉｏｎｓ  Ｉｎｃ．，ｈｔｔｐ
：／／ｗｗｗ／ｍｓｎ．ｃｏｍ／から入手可能）；ＨＹＰＥＲＣＨＥＭ（Ｈｙｐ
ｅｒｃｕｂｅ  Ｉｎｃ．，ｈｔｔｐ：／／ｗｗｗ／ｈｙｐｅｒ．ｃｏｍ／から入
手可能）；ＦＩＲＳＴ  ＤＩＳＣＯＶＥＲＹ（Ｓｃｈｒｏｄｉｎｇｅｒ  Ｉｎｃ
．，ｈｔｔｐ：／／ｗｗｗ／ｓｃｈｒｏｄｉｎｇｅｒ．ｃｏｍ／から入手可能）
；ＭＯＥ（Ｃｈｅｍｉｃａｌ  Ｃｏｍｐｕｔｉｎｇ  Ｇｒｏｕｐ，ｈｔｔｐ：／
／ｗｗｗ／ｃｈｅｍｃｏｍｐ．ｃｏｍから入手可能）；およびＣＨＥＭＳＩＴＥ
（Ｐｙｒａｍｉｄ  Ｌｅａｒｎｉｎｇ，ｈｔｔｐ：／／ｗｗｗ／ｃｈｅｍｓｉｔ
ｅ．ｏｒｇ／から入手可能）。
【００３８】
モデリングソフトウェアを用いて、ＧＳＫ３結合表面を決定し、そしてファン
デルワールス接触、静電相互作用、および／または水素結合機会のような特徴を
明らかにし得る。これらの結合表面を用いて、リガンドとＧＳＫ３とのドッキン
グをモデル化し、ファルマコフォア仮説に到達し、そして可能性のある治療用化
合物を新たに設計し得る。
【００３９】
（ＧＳＫ３−βリガンドの仮想（バーチャル）スクリーニング）
アポタンパク質の３次元構造、および詳細にはこのタンパク質の活性部位の構
造によって、活性部位への化合物の適合の決定が可能になる。ファーストドッキ
ングプログラムを利用して、例えば、化合物のデータベース由来の個々の化合物
を、活性部位結合に対して評価し得る。特定の化合物の適合が、評価されそして
記憶され得る。次いで、スコア閾値を設定することによって、仮想スクリーニン
グの解として化合物のファミリーを提供し得る。
【００４０】
第一のレベルでは、仮想スクリーニングは、アポタンパク質の活性部位の３次
元構造を考慮する。第二のレベルでは、仮想スクリーニングは、リガンドプロフ
ィールを考慮し、そして結合したリガンドを有するタンパク質の構造の決定から
得た情報を利用し得る。仮想スクリーニングは、結合したリガンドに対して構造
的な情報が存在しない場合でさえ可能である。
【００４１】
仮想スクリーニングから得た情報を考慮して、リガンドプロフィールをさらに
開発し得る。あるいは、仮想スクリーニングの結果が、見込みのある化合物を示
す場合、この化合物が得られ、そして関連する生物学的活性についてスクリーニ
ングされ得る。
【００４２】
（ドッキング）。ドッキングとは、２つ以上の分子がエネルギー条件に基づい
て整列されるプロセスをいう。ドッキングは、２つ以上の分子の３次元構造を並
べて、この分子から形成された複合体のコンフォメーションを推定する（例えば
、Ｂｌａｎｅｙ＆Ｄｉｘｏｎ（１９９３）Ｐｅｒｓｐｅｃｔｉｖｅｓ  ｉｎ  Ｄ
ｒｕｇ  Ｄｉｓｃｏｖｅｒｙ  ａｎｄ  Ｄｅｓｉｇｎ  １：３０１を参照のこと
）。本発明の実施において、分子を、ＧＳＫ３構築物構造とドッキングして、そ
の分子がＧＳＫ３と相互作用する能力を評価する。
【００４３】
ドッキングは、リガンドおよびそのレセプターの幾何学的な適合、または相互
作用のエネルギーを最小化することのいずれかによって、達成され得る。幾何学
的な適合アルゴリズムは、その相対的な速度のおかげで好ましい。
【００４４】
適切なドッキングアルゴリズムとしては、以下が挙げられる：構造的薬物設計
に基づく原型的なプログラムであるＤＯＣＫ（Ｋｕｎｔｚら（１９８２）Ｊ．Ｍ
ｏｌ．Ｂｉｏｌ．１６１：２６９〜２８８、ＵＣＳＦから入手可能）；ＡＵＴＯ
ＤＯＣＫ（Ｇｏｏｄｓｅｌｌ＆Ｏｌｓｏｎ（１９９０）Ｐｒｏｔｅｉｎｓ：Ｓｔ
ｒｕｃｔｕｒｅ，Ｆｕｎｃｔｉｏｎ  ａｎｄ  Ｇｅｎｅｔｉｃｓ  ８：１９５〜
２０２、そしてＯｘｆｏｒｄ  Ｍｏｌｅｃｕｌａｒ，ｈｔｔｐ：／／ｗｗｗ／ｏ
ｘｍｏｌ．ｃｏ．ｕｋ／から入手可能）（これは、格子に基づくＭｏｎｔｅ  Ｃ
ａｒｌｏのシミュレーションされたアニーリングを用いて、可撓性の様式でリガ
ンドをレセプターにドッキングする）。ＡＵＴＯＤＯＣＫ手順の可撓性の性質は
、ユーザーの検索者によって導入されたバイアス（例えば、活性部位におけるリ
ガンドの方向およびコンフォメーションにおいて）を回避することを補助する（
Ｍｅｙｅｒら（１９９５）Ｐｅｒｓｐ．Ｄｒｕｇ  Ｄｉｓｃ．３：１６８〜９５
）。なぜなら、格子ドッキングにおける出発コンフォメーションは通常、このリ
ガンドの最小エネルギーコンフォメーションに向かって偏向されているが、この
結合コンフォメーションは、コンフォメーションエネルギーが比較的高くあり得
るからである（Ｎｉｃｋｌａｕｓら（１９９５）Ｂｉｏｏｒｇａｎｉｃ  ＆  Ｍ
ｅｄｉｃｉｎａｌ  Ｃｈｅｍｉｓｔｒｙ  ３：４１１）。
【００４５】
他の適切なドッキングアルゴリズムとしては、以下が挙げられる：ＭＯＥ−Ｄ
ＯＣＫ（Ｃｈｅｍｉｃａｌ  Ｃｏｍｐｕｔｉｎｇ  Ｇｒｏｕｐ  Ｉｎｃ．，ｈｔ
ｔｐ：／／ｗｗｗ／ｃｈｅｍｃｏｍｐ．ｃｏｍから入手可能）（ＭＯＥ−ＤＯＣ
Ｋでは、シミュレーションされたアニーリング検索アルゴリズムを用いてリガン
ドを可撓性にドッキングし、そして格子に基づくエネルギー評価を用いてドッキ
ングじたコンフォメーションをスコア付けする）；ＦＬＥｘＸ（Ｔｒｉｐｏｓ  
Ｉｎｃ．，ｈｔｔｐ：／／ｗｗｗ／ｔｒｉｐｏｓ．ｃｏｍから入手可能）（ＦＬ
ＥｘＸは、コンフォメーション的に可撓性のリガンドを、結合部位でこのリガン
ドを構築する増分構築アルゴリズムを用いてこの結合部位にドッキングし、そし
てリガンドレセプター相互作用の強度に基づいてドッキングされたコンフォメー
ションをスコア付けする）；ＧＯＬＤ（Ｊｏｎｅｓら（１９９７）Ｊ．Ｍｏｌ．
Ｂｉｏｌ．２６７：７２７〜７４８）（リガンド全体および部分的なタンパク質
可撓性を用いる、可撓性のリガンドドッキングのための遺伝子アルゴリズムであ
り、ＧＯＬＤでは、エネルギー関数は部分的に、コンフォメーションおよび結合
していない接触情報に基づく）；ＡＦＦＩＮＩＴＹ（Ｍｏｌｅｃｕｌａｒ  Ｓｉ
ｍｕｌａｔｉｏｎｓ  Ｉｎｃ．，ｈｔｔｐ：／／ｗｗｗ／ｍｓｎ．ｃｏｍ／から
入手可能）（ＡＦＦＩＮＩＴＹは、リガンドをドッキングさせるために２工程の
プロセスを用いる：第一に、このレセプター内のリガンドの最初の配置は、コン
フォメーション的な空間およびデカルト空間（Ｃａｒｔｅｓｉａｎ  ｓｐａｃｅ
）の両方を検索するためのモンテカルロ方手順を用いてなされる；そして第二に
、シミュレーションされたアニーリング相が、この相の間、各リガンド配置の位
置を最適にする。ＡＦＦＩＮＩＴＹは、結合部位の原子およびリガンド原子が可
動であるままで、レセプターの「バルク」（結合部位にない原子）を剛直に保持
する）；Ｃ２ＬｉｇａｎｄＦｉｔ（Ｍｏｌｅｃｕｌａｒ  Ｓｉｍｕｌａｔｉｏｎ
ｓ  Ｉｎｃ．，ｈｔｔｐ：／／ｗｗｗ／ｍｓｎ．ｃｏｍ／から入手可能）（これ
は、最適な結合様式を自動的に見出すためにリガンド−レセプター複合体のエネ
ルギーを用い、そして確率論的コンフォメーション検索技術を用いて、保持され
たコンフォメーションサンプリングから最適の結果を得る）。格子方法を用いて
、リガンドレセプターと可撓性リガンド原子との間の結合していない相互作用を
評価する。ＤＯＣＫＩＴ（Ｍｅｔａｐｈｏｒｉｃｓ  ＬＬＣから入手可能）は、
高速（ファースト）（ｆａｓｔ）可撓性リガンドドッキングのディスタンスジオ
メトリーを使用する。ＧＬＩＤＥ（Ｓｃｈｒｏｄｉｎｇｅｒ  Ｉｎｃ．から入手
可能）は、事前計算したエネルギー格子、および可撓性ドッキングのため能率的
に切り詰められた組織的検索を使用する。
【００４６】
好ましくは、ドッキングアルゴリズムは、ハイスループット様式で用いられる
。ここでは、可能性のあるリガンドの大きい構造的ライブラリーのメンバーが、
レセプター構造に対してスクリーニングされる（Ｍａｒｔｉｎ（１９９２）Ｊ．
Ｍｅｄ．Ｃｈｅｍ．３５：２１４５〜５４）。
【００４７】
適切な構造的ライブラリーとしては、以下が挙げられる：ＡＣＤ（Ａｖａｉｌ
ａｂｌｅ  Ｃｈｅｍｉｃａｌ  Ｄｉｒｅｃｔｏｒｙ，ｆｏｒｍ  ＭＤＬ  Ｉｎｃ
．）、ＡｓＩｎＥｘ、Ｂｉｏｎｅｔ、ＣｏｍＧｅｎｅｘ、ｔｈｅ  Ｄｅｒｗｅｎ
ｔ  Ｗｏｒｌｄ  Ｄｒｕｇ  Ｉｎｄｅｘ（ＷＤＩ）、ｔｈｅ  Ｃｏｎｔａｃｔ  
Ｓｅｒｖｉｃｅ  Ｃｏｍｐａｎｙ  ｄａｔａｂａｓｅ、ＬａｂｏＴｅｓｔ、Ｃｈ
ｅｍＢｒｉｄｇｅ  Ｅｘｐｒｅｓｓ  Ｐｉｃｋ，ＣｈｅｍＳｔａｒ，ＢｉｏＢｙ
ｔｅＭａｓｔｅｒＦｉｌｅ，Ｏｒｉｏｎ，ＳＡＬＯＲ，ＴＲＩＡＤ，ＩＬＩＡＤ
，ｔｈｅ  Ｎａｔｉｏｎａｌ  Ｃａｎｃｅｒ  Ｉｎｓｔｉｔｕｔｅ  ｄａｔａｂ
ａｓｅ（ＮＣＩ）、およびｔｈｅ  Ａｌｄｒｉｃｈ，Ｆｌｕｋａ，Ｓｉｇｍａｎ
ａｎｄ  Ｍａｂｒｉｄｇｅ  ｃａｔａｌｏｇｓ。これらは市販されている（例
えば、Ｏｘｆｏｒｄ  Ｍｏｌｅｃｕｌａｒからのｔｈｅ  ＨＴＳ  Ｃｈｅｍｉｃ
ａｌｓ  ｃｏｌｌｅｃｔｉｏｎ、またはＴｒｉｐｏｓからのｔｈｅ  ＬｅａｄＱ
ｕｅｓｔＴＭ  ｆｉｌｅｓ）。
【００４８】
（ファルマコフォアを規定する）。上記のように、ファルマコフォアは、他の
特徴のなかでも、表面アクセス可能な特徴、水素結合ドナーおよびアクセプター
、荷電基／イオン化基、および／または疎水性パッチを含むＧＳＫ３構築物につ
いて規定され得る。これらの特徴は、活性を供与するのにおけるそれらの相対的
な重要度に依存して重み付けされ得る（例えば、Ｃｏｍｐｕｔｅｒ−Ａｓｓｉｓ
ｔｅｄ  Ｌｅａｄ  Ｆｉｎｄｉｎｇ  ａｎｄ  Ｏｐｔｉｍｉｚａｔｉｏｎ（Ｔｅ
ｓｔｒａ  ＆  Ｆｏｌｋｅｒｓ編，１９９７）を参照のこと）。
【００４９】
ファルマコフォアは、ＣＡＴＡＬＹＳＴ（Ｍｏｌｅｃｕｌａｒ  Ｓｉｍｕｌａ
ｔｉｏｎｓ  Ｉｎｃ．のｈｔｔｐ：／／ｗｗｗ／ｍｓｎ．ｃｏｍ／から入手可能
、ＨｙｐｏＧｅｎまたはＨｉｐＨｏｐを含む）、ＣＥＲＩＵＳ２のようなソフト
ウェアを用いて決定され得るか、またはリード化合物の既知のコンフォメーショ
ンから手動で構築され得る。ファルマコフォアは、ＣＡＴＡＬＹＳＴのようなプ
ログラムを用いて、構造的なライブラリーをスクリーニングするために用いられ
得る。ＣＬＩＸプログラム（Ｄａｖｉｃ  ＆  Ｌａｗｒｅｎｃｅ（１９９２）Ｐ
ｒｏｔｅｉｎｓ  １２：３１〜４１）も用いられ得る。ＣＬＩＸプログラムは、
レセプターと相互作用する化学基との最大空間一致を生じる構造的データベース
において候補分子の配向を検索する。ＤＩＳＣＯプログラム（Ｔｒｉｐｏｓから
入手可能）は、各構造における共通のファルマコフォア的な特徴を同定するため
の集団（ｃｌｉｑｕｅ）検出の方法を使用し、最適に整列された構造を生じ、そ
してこのファルマコフォアの重要な構造を抽出する。ＧＡＳＰプログラム（Ｔｒ
ｉｐｏｓから入手可能）は、遺伝子アルゴリズムを使用して、コンフォメーショ
ン的な可撓性を有するファルマコフォアを自動的に見出す。
【００５０】
（デノボ化合物の設計）。ＧＳＫ３構築物の結合表面またはファルマコフォア
を用いて、官能基（例えば、水素、ヒドロキシル基、アミノ基、酸性基、疎水性
基、および／または二価陽イオン）または低分子フラグメントの好ましい相互作
用位置をマップし得る。次いで、関連する官能基がＧＳＫ３と相互作用するよう
に正しい空間的位置に配置されている化合物が、デノボ設計され得る。
【００５１】
一旦官能基または低分子フラグメント（ＧＳＫ３の結合表面における特定の部
位を相互作用し得る）が同定されれば、それらは、好ましい配向で官能基を支持
し得る、正しいサイズおよび幾何学またはフレームワークを有する、いずれかの
架橋フラグメントを用いて単一の化合物に連結され得、それによって本発明の化
合物が提供される。この方法における官能基の連結は、おそらくＱＵＡＮＴＡま
たはＳＹＢＹＬのようなソフトウェアの補助によって手動で行われ得るが、自動
化されたかまたは半自動化されたデノボ設計アプローチもまた用いられ得る。
【００５２】
適切なデノボ設計ソフトウェアとしては、以下が挙げられる：ＭＣＤＬＮＧ（
Ｇｅｈｌｈａａｒら（１９９５）Ｊ．Ｍｅｄ．Ｃｈｅｍ．３８：４６６〜７２）
（これは、一般的な原子の最密配列を有するレセプター結合部位を満たし、そし
てモンテカルロ手順を使用して原子の種、位置、結合の並びおよび他の特性を無
作為に変化させる）；ＭＣＳＳ／ＨＯＯＫ（Ｃａｆｌｉｓｈら（１９９３）Ｊ．
Ｍｅｄ．Ｃｈｅｍ．３６：２１４２〜６７；Ｅｉｓｅｎら（１９９４）Ｐｒｏｔ
ｅｉｎｓ：Ｓｔｒ．Ｆｕｎｃｔ．Ｇｅｎｅｔ．１９：１９９〜２２１；これはＭ
ｏｌｅｃｕｌａｒ  Ｓｉｍｕｌａｔｉｏｎｓ  Ｉｎｃ．，ｈｔｔｐ：／／ｗｗｗ
／ｍｓｎ．ｃｏｍから入手可能である）（これは、複数の官能基をデータベース
由来の分子鋳型と結合させる）；ＬＵＤＩ（Ｂｏｈｍ（１９９２）Ｊ．Ｃｏｍｐ
．Ａｉｄｅｄ  Ｍｏｌｅｃ．Ｄｅｓｉｇｎ  ６：６１〜７８、これはＭｏｌｅｃ
ｕｌａｒ  Ｓｉｍｕｌａｔｉｏｎｓ  Ｉｎｃ．，ｈｔｔｐ：／／ｗｗｗ／ｍｓｎ
．ｃｏｍから入手可能である）（これは、リガンドによって理想的に充填された
相互作用点を計算し、このレセプターと相互作用する能力に基づいてこの結合部
位にフラグメントを置き、次いで、これらリガンドを生成するように結合する）
；ＧＲＯＷ（ＭｏｏｎおよびＨｏｗｅ（１９９１）Ｐｒｏｔｅｉｎｓ：Ｓｔｒ．
Ｆｕｎｃｔ．Ｇｅｎｅｔ．１１：３１４〜３２８）（これは初期の「シード（ｓ
ｅｅｄ）」フラグメントから開始し（手動または自動で位置が決められる）、そ
してこのリガンドを外側に伸ばす）；ＳＰＲＯＵＴ（これは、ｈｔｔｐ：／／ｃ
ｈｅｍ．ｌｅｅｄｓ．ａｃ．ｕｋ／ＩＣＡＭＳ／ＳＰＲＯＵＴ．ｈｔｍｌにて入
手可能である）（これは、結合ポケット内の好ましい水素結合および疎水性領域
を同定するための分子（ＨＩＰＰＯモジュール）を含み、官能基を選択し、そし
て標的部位内でのそれらに位置を決定し、構造生成のための初期フラグメント（
ＥｌｅＦａｎＴ）を形成し、開始フラグメント上にスペーサーフラグメントを構
築し、次いでこの得られた部分骨格（ＳＰＩＤｅＲ）を結合することによってこ
の結合ポケットの立体拘束を満たす骨格を生成し、骨格内にヘテロ原子を置換し
て、このレセプター部位の静電特性に対して補完的な静電特性を有する分子を生
成し（ＭＡＲＡＢＯＵ）、そしてこの溶液をクラスター化し得、そしてＡＬＬｉ
ｇａＴＯＲモジュールを使用してスコア付けし得る）；ＬＥＡＰＦＲＯＧ（これ
は、Ｔｒｉｐｏｓ  Ｉｎｃ．、ｈｔｔｐ：／／ｗｗｗ／ｔｒｉｐｏｓ．ｃｏｍか
ら入手可能である）（これは、小さなステップによって構造変化を行い、そして
迅速にコ新規の化合物の結合エネルギーを評価することによってリガンドを評価
し、変化する結合エネルギーに基づいて変化を維持または破棄し、そしてこのレ
セプターと相互作用エネルギーを上清する構造を含める）；ＧＲＯＵＰＢＵＩＬ
Ｄ（Ｒｏｒｓｔｅｉｎら（１９９３）Ｊ．Ｍｅｄ．Ｃｈｅｍ．３６：１７００）
（これは、共通する有機鋳型のライブラリーおよびリガンドとレセプターとの間
の非結合性相互作用の完全に経験的な力場記述を使用し、化学的に合理的な構造
を有し、そしてレセプター結合部位に補完的な立体特性および静電的特性を有す
るリガンドを構築する）；ＣＡＶＥＡＴ（ＬａｕｒｉおよびＢａｒｔｌｅｔｔ（
１９９４）Ｃｏｍｐ．Ａｉｄｅｄ  Ｍｏｌ．Ｄｅｓｉｇｎ  ８：５１〜６６）（
これは、非環状分子を拘束するための結合単位を設計する）；およびＲＡＳＳＥ
（Ｌａｉ）（１９９６）Ｊ．Ｃｈｅｍ．Ｉｎｆ．Ｃｏｍｐｕｔ．Ｓｃｉ  ３６：
１１８７〜１１９４）。
【００５３】
（ＧＳＫ３−βリガンド）
構造に基づいた設計サイクルを開始するほとんどのリード化合物は、ハイスル
ープットスクリーニングによって同定される。ハイスループットスクリーニング
およびリガンドプロファイルおよび上記の仮想スクリーニングの結果として、適
切な形状を取り、そしてこのタンパク質の活性部位に結合するのに必要不可欠な
コンフォメーションエネルギーを有するリガンドが同定される。低いコンフォメ
ーションエネルギーおよびアポタンパク質活性部位との空間適合性を有すること
に加え、この同定したリガンドは、好ましくは合成的に利用可能である。次いで
、この同定されたリガンドが得られ（例えば、市販されているかまたは合成され
）、そして生物学的活性についてスクリーニングされる。この同定されたリガン
ドはまた、このタンパク質構築物とともに共結晶を形成し、そしてこの三次元構
造は結合したリガンドを有するタンパク質について決定される。結合したリガン
ドを伴うタンパク質の構造から得られた情報を、次いで、使用してさらに上記の
ようなリガンドのプロファイルを開発する。
【００５４】
リガンドの生物学的活性を評価するために適切なＧＳＫ３−β生物学的スクリ
ーニング法は、公知であり、そしてこのようなスクリーニング法としては、例え
ば、米国特許出願番号６０／１９３，０４３（２０００年３月２９日出願）に示
されるようなスクリーニングが挙げられ、そしてこれは明確に本明細書中で参考
として全体が援用される。
（ＧＳＫ３結晶構造を使用する合理的な薬物発見のための方法）
別の局面において、本発明は、ＧＳＫ３結晶構造、特にＧＳＫ３構築物の活性
部位の三次元構造を使用するための方法を提供し、ＧＳＫ３−βに結合するため
かまたはＧＳＫ３−βの活性を媒介するためのリガンドを設計する。
【００５５】
１つの実施形態において、本方法は、治療的化合物の設計のための反復構造に
基づいた方法である。代表的な方法は、図３に示すフローチャートによって示さ
れる。図３を参照すると、このアポタンパク質および結合したリガンドファンド
を伴うタンパク質の結晶構造は、それぞれ、工程１０２および工程１０４におい
て決定される。工程１０２および工程１０４から得られる構造情報から、リガン
ドプロファイルが工程１０６で開発される。リガンドプロファイルはまた、この
アポタンパク質の結晶構造から直接的に開発される。得られたプロファイルを使
用すると、新規のリガンドが設計され、そして／また得られ、生物学的活性につ
いてスクリーニングされ、そして／または工程１０８でタンパク質と共に共結晶
化されるか、あるいは、このリガンドプロファイルは、工程１１０の仮想スクリ
ーン中で使用され得る。開発されたプロファイルから得られたリガンドが今日結
晶化された場合、この共結晶の構造は工程１０４において決定され、そしてこの
得られた構造情報を使用してさらに工程１０６のリガンドプロファイルが開発さ
れる。このリガンドプロファイルを工程１１０の仮想スクリーン中で使用した場
合、この仮想スクリーンは首尾良いか、または得られ得る１以上のリガンドを同
定し、スクリーニングし、そして／または、工程１０８で共結晶化される。仮想
スクリーンが適切なリガンドの同定において不成功であった場合、このリガンド
プロファイルはさらに工程１０６で開発される。
【００５６】
リード化合物は、リガンドプロファイルによって開発されたリガンドの生物学
的スクリーニングから同定される。リード化合物を同定するための代表的な方法
は、図４で示したフローチャートに示される。図４を参照すると、アポタンパク
質および結合したリガンドを伴うタンパク質の結晶構造は、それぞれ、工程２０
２および工程２０４において使用される。工程２０２および工程２０４から得ら
れた構造情報から、リガンドプロファイルが工程２０６で開発される。リガンド
プロファイルはまた、アポタンパク質の結晶構造から直接的に開発される。得ら
れたプロファイルから、新規のリガンドが工程２０８において設計され、そして
／またはこのリガンドが得られ、そして工程２１０において生物学的活性につい
てスクリーニングされるか、かつ／または工程２１２においてこのタンパク質と
共結晶化されるのかのいずれかである。生物学的スクリーニングが成功した場合
、リード化合物は、工程２１４において同定され得る。続く反復において、この
リード化合物は工程２１２において結晶化され、そしてこの新規の薬物候補が同
定されるまで反復が継続する。生物学的スクリーニングが成功しなかった場合、
その情報を使用して、工程２０６においてさらにリガンドプロファイルを開発す
る。りこのリガンドが共結晶化された場合、この共結晶の構造は、工程２０４で
決定され、そしてこの構造情報は、工程２０６におけるリガンドプロファイルの
さらなる開発に使用される。
【００５７】
あるいは、このリガンドプロファイルの結果を工程２１６の仮想スクリーンに
おいて使用し得る。この仮想スクリーンが成功して、かつ１以上のリガンドを同
定した場合、このリガンドは、工程２０８において得られ、そして工程２１０に
てスクリーニングされて、この生物学的活性およびこのリード化合物が同定され
たか否かを決定する。工程２０８で得られたリガンドはまた、工程２１２におい
て共結晶化され、そしてこの構造が決定され、そして得られた情報を使用してリ
ガンドプロファイルをさらに開発する。仮想スクリーンが適切なリガンドを同定
することにおいて不成功に終った場合、このリガンドプロファイルは、さらに工
程２０６で開発される。
【００５８】
（ＧＳＫ３リガンドおよびそれらの用途）
本発明の方法は、ＧＳＫ３と相互作用し得るリガンドを同定する。これらの化
合物は、デノボ設計され得るか、そしてこれらの化合物は既知の化合物であり得
るか、また既知の化合物に基づき得る。これらの化合物は、それ自体で有用な医
薬であり得るか、またはこれは、結合親和性または他の薬学的に重要な特徴（例
えば、セバイオアベイラビリティ、毒物学、代謝、薬力学）を改善するために、
さらなる薬学的な精製について使用され得るプロトタイプ（すなわち、リード化
合物）であり得る。
【００５９】
従って、別の局面において、本発明は、以下を提供する：（１）本発明の方法
を使用して同定される化合物；（２）医薬としての用途のための本発明の方法を
使用して同定される化合物；（３）ＧＳＫ３活性を媒介するための医薬品の製造
において本発明の方法を使用して同定される化合物の使用；および（４）ＧＳＫ
３活性によって媒介される状態に罹患した患者を処置する方法であって、この方
法は、ＧＳＫ３活性を媒介するために有効な本発明の方法を使用して同定される
化合物の量を投与する工程を包含する。
【００６０】
これらの化合物は好ましくは、μモル濃度以上、より好ましくはナノモル濃度
の範囲またはそれより強い範囲で結合拘束を伴いＧＳＫ３と相互作用する。
【００６１】
個々に有用な化合物であるように、構造に基づいた設計技術によって同定され
たリガンドをまた使用して、従来のインビトロまたはインビボスクリーニング方
法についての化合物のライブライブラリーを示唆し得る。このリガンドにおける
重要な薬学的なモチーフが同定され得、そしてＧＳＫ３結合活性についてのスク
リーニングのために化合物ライブラリー（例えば、コンビナトリアルライブライ
ブラリー）で模倣され得る。
【００６２】
本発明の上述および他の局面は、以下のそれぞれの実施例を合わせることでよ
り良く理解し得る。
【００６３】
（実施例）
（実施例１）
（ＧＳＫ３−β構築物の精製）
本実施例において、ＧＳＫ３−βタンパク質構築物の精製を記載する。この構
築物を、ＧＳＫ３−β  ５８０  ｃＤＮＡ構築物を保有するバキュロウイルスで
感染させたＳＦ−９細胞から抽出し、そして以下に記載されるようにこれをＳ−
Ｆｒａｃｔｏｇｅｌクロマトグラフィー、Ｐｈｅｎｙｌ−６５０  Ｍクロマトグ
ラフィーおよびＧｌｕ−ｔａｇ親和性クロマトグラフィーを使用して一様になる
まで精製した。
【００６４】
（抽出）
感染したＳＦ−９細胞の２０Ｌ発酵由来の細胞ペーストを、１００ｍＬ  ＰＢ
Ｓ（１０ｍＭ  ＮａＰｉ，ｐＨ７．５，１５０ｍＭ  ＮａＣｌ）で洗浄し、次い
で、３００ｍＬの緩衝液Ｈ（２０ｍＭ  Ｔｒｉｓ、ｐＨ７．５、１ｍＭタングス
テン、１ｍＭ  ヒ酸塩５０ｍＭ  ＤＴＴ、１０μｇ／ｍＬロイペプチン、１μｇ
／ｍＬペプスタチンＡ、１０％グリセロール、０．３５％オクチルグリコシド、
１ｍＭ  Ｍｇ２＋）で、再懸濁した。細胞を１００ｍＬのＤｏｕｎｃｅｒ中でホ
モジェナイズ（ｐｅｓｔｅｌ  Ｂを用いて２０ストローク）した。合わせたホモ
ジネートを、３５分間、４０，０００ｒｐｍにて、Ｔｉ４５ローターで遠心分離
し、細胞の破片および核を取り出した。この遠心分離による上清を注意深くデカ
ンティングし、０．４５μフィルターを通して濾過した。
【００６５】
（Ｓ−Ｆａｃｔｏｇｅｌクロマトグラフィー）
１７５ｍＬのＳ−ｆｒａｃｔｏｇｅｌ（ＥＭ  Ｓｃｉｅｎｃｅ，カタログ番号
１８８８２）を、５ｃｍ×８．９ｃｍカラムに詰め、そして５カラム容量の緩衝
液Ａ（２０ｍＭ  Ｔｒｉｓ，ｐＨ７．５，１０％グリセロール）で平衡化した。
この濾過した上清を充填する前に、５０ｍＭ  ＤＴＴを含有する１カラム容量の
緩衝液Ａを、平衡化したカラムに通過させた。上述の工程の濾液を、次いで、２
０ｍＬ／分でカラムに充填した。このカラムを５０ｍＭ  ＤＴＴを含有する３カ
ラム容量の緩衝液Ａおよび２カラム容量の緩衝液Ａで洗浄し、次いで２０カラム
容量を超える緩衝液Ａ中で０〜１Ｍ  ＮａＣｌの線形勾配を使用して溶出した。
この溶出物を２０ｍＬの画分に分配した。ＧＳＫ３を含有する画分を抗ＧＳＫ抗
体（Ｓａｎｔａ  Ｃｒｕｚ  Ｂｉｏｔｅｃｈ，カタログ番号ＳＣ−７２９１）を
使用するウェスタンブロットで検出した。このウェスタンブロット陽性画分を、
プールしそして等量の緩衝液Ｍ（２０ｍＭ  Ｔｒｉｓ，ｐＨ７．５，１０％グリ
セロール，３．１Ｍ  ＮａＣｌ）と混合し、そして０．４５μフィルターを介し
て濾過した。この濾液をＰｈｅｎｙｌ−６５０  Ｍクロマトグラフィーに使用し
た。
【００６６】
（Ｐｈｅｎｖｌ−６５０  Ｍクロマトグラフィー）
３７．５ｍＬのＰｈｅｎｙｌ−６５０  Ｍ（Ｔｏｓｏｈａｓｓ，カタログ番号
０  １４９４３）を２．２×１０ｃｍカラムに充填し、そして５カラム容量の緩
衝液Ｃ（２０ｍＭ  Ｔｒｉｓ，ｐＨ７．５，１０％グリセロール，１．６Ｍ  Ｎ
ａＣｌ）で平衡化した。Ｓ−ｆｒａｃｔｏｇｅｌ工程からの濾液を７．５ｍＬ／
分でこのカラムに充填した。この充填が完了した後に、このカラムを５カラム容
量の緩衝液Ｃで洗浄し、そして２０カラム容量にわたって０％〜１００％の緩衝
液Ａ（２０ｍＭ  Ｔｒｉｓ，ｐＨ７．５，１０％グリセロール）の線形勾配を使
用して溶出した。画分を、各々１５ｍＬで回収して、ＧＳＫ含有画分は、抗ＧＳ
Ｋ抗体を使用してウェスタンブロットによって検出した。このウェスタン陽性画
分を、プールし、そしてＧｌｕ−ｔａｇ抗体親和性カラムに充填した。
【００６７】
（Ｇｌｕ−ｔａｇ親和性クロマトグラフィー）
５０ｍｇのＧｌｕ−ｔａｇ抗体を、２８ｍＬのＡｆｆｉ−Ｇｅｌ  １０（Ｂｉ
ｏＲＡＤ，カタログ番号１５３−６０４６）上に固定し、そしてこれを２．２×
６．５ｃｍカラムに充填した。このカラムを５カラム容量の緩衝液Ｄ（２０ｍＭ
Ｔｒｉｓ，ｐＨ７．５，２０％グリセロール，０．３Ｍ  ＮａＣｌ，０．２％
オクチルグルコシド）で平衡化して、そしてＰｈｅｎｙｌ−６５０  Ｍ工程か
らの画分プールを、２．８ｍＬ／分で充填した。この充填が完了した後に、カラ
ムを５カラム容量の緩衝液Ｄで洗浄し、次いで、緩衝液Ｄ中の１００ｍＬのＧｌ
ｕ−ｔａｇペプチド（１００μｇ／ｍＬ）で溶出して、そして４ｍＬ画分に画分
化した。ＧＳＫ含有画分をＳＤＳ−ＰＡＧＥおよびクマシーブルー染色を用いて
検出した。これらの画分をプールし、濃縮し、そ濃縮し、そして１０  ｋ  ＭＷ
ＣＯ  ＹＭ１０メンブレンを使用してＡｍｉｃｏｎ  ｃｏｎｃｅｎｔｒａｔｏｒ
中で約４．８ｍｇ／ｍＬまで緩衝液Ｄにダイアフィルトレーションした。この濃
縮された分子を、次いで、結晶化のために投入した。
【００６８】
（実施例２）
（ＧＳＫ３−β構築物の結晶化）
本実施例において、ＧＳＫ３−βタンパク質構築物の結晶化を記載する。結晶
化プロトコルは、４．８ｍｇ／ｍｌの濃度でＧＳＫ３−βを使用し、そして１Ｘ
ＴＢＳ緩衝液、０．３Ｍ  ＮａＣｌ、２０％グリセロール、０．２％オクチル
グルコピラノシド、５ｍＭ  ＤＴＴを含有する溶液中にある。この結晶を、ハン
ギングドロップ法（ｈａｎｇｉｎｇ  ｄｒｏｐ  ｍｅｔｈｏｄ）を使用して拡散
蒸着によって成長させた。簡潔には、２４−ウェルのリンブロ（ｌｉｎｂｒｏ）
培養プレートの各ウェルを、１０％ポリエチレングリコール６０００（ＰＥＧ  
６０００）、５％２−メチル−２，４−ペンタンジオール（ＭＰＤ）、０．１Ｍ
ＨＥＰＥＳ（ｐＨ７．５）を含有する０．５ｍＬの溶液で満たした。３μＬの
タンパク質溶液を次いでガラスカバースリップ上の液滴の３μＬのウェル溶液と
混合する。このカバースリップを、次いで、このウェルのリザーバー上に置いた
。このプレートを、次いで、４℃で保管する。結晶は、３〜３０日間で５０〜９
０％のウェルで現れる。
【００６９】
代表的なＧＳＫ３結晶は、高度に重合し、そして空間群および単位格子の寸法
の両方において分散を示し、しばしば、化合物を浸している間の空間群の遷移が
示され、状態の僅かな変化にも応答する。３つの空間群が、ＧＳＫ３結晶中にて
同定され、以下のように示される。全ての空間群の中でこの空間群の寸法および
空間群Ｃ２における角βはしばしば、個々の結晶の間で１０％を超えて変化する
。この空間群および寸法は以下のとおりである。Ｃ２２２（１）は、最も一般的
な空間群であり、これにＣ２、次いでＰ２２２（１）が続く。Ｃ２は、化合物を
結晶に浸したときのみに見られる。
【００７０】
Ｃ２２２（１）：ａ＝８９．８７４  ｂ＝１０２．５１４  ｃ＝１０８．１９
４  α＝９０  β＝９０  γ＝９０
Ｃ２：ａ＝１０２．３６６  ｂ＝８９．５９８  ｃ＝１１０．４３８  α＝９
０  β＝９６．９８３  γ＝９０
Ｐ２２２（１）：ａ＝８６．３２８  ｂ＝１０３．０６１  ｃ＝１０２．８４
６  α＝９０  β＝９０  γ＝９０
１２％ＰＥＧ  ６０００、１１％ＭＰＤ、０．１Ｍ  ＨＥＰＥＳ  ｐＨ７．５
、２０％グリセロールからなる冷却液体中でのデータ収集のために、この結晶の
凍結を防止し得る。この冷却溶液は、約１０〜約１４重量％のポリエチレングリ
コール（ＰＥＧ  ６０００）、約９〜約１３重量％の２−メチル−２，４−ペン
タンジオール（ＭＰＤ）、および約１８〜約２２重量％のグリセロールを含み得
る。この冷却溶液は、約７．３〜約７．７のｐＨを有する。
【００７１】
（実施例３）
（ＧＳＫ３−β構築物の結晶構造の解明）
本実施例において、ＧＳＫ３−βタンパク質構築物の結晶構造を解く代表的な
方法を記載した。
【００７２】
ＧＳＫ３−βの結晶構造を、分子置換（ｍｏｌｅｃｕｌａｒ  ｒｅｐｌａｃｅ
ｍｅｎｔ）および交差結晶平均化（ｃｒｏｓｓ−ｃｒｙｓｔａｌ  ａｖｅｒａｇ
ｉｎｇ）を組合わせて用いて解いた。Ｃ２２２（１）結晶に対する分子置換の解
は、ＧＳＫ３−β（残基５３−３５２を含む）のホモロジーモデリングおよびプ
ログラムＥＰＭＲ［ＣＲ  Ｋｉｓｓｉｎｇｅｒ，ＤＫ  Ｇｅｈｌｈａａｒ，ａｎ
ｄ  ＤＢ  Ｆｏｇｅｌ．Ｒａｐｉｄ  ａｕｔｏｍａｔｅｄ  ｍｏｌｅｃｕｌａｒ
ｒｅｐｌａｃｅｍｅｎｔ  ｂｙ  ｅｖｏｌｕｔｉｏｎａｒｙ  ｓｅａｒｃｈ  
Ａｃｔａ  Ｃｒｙｓｔａｌｌｏｇｒ  Ｄ  Ｂｉｏｌ  Ｃｒｙｓｔａｌｌｏｇｒ．
１９９９  Ｆｅｂ；５５（Ｐｔ２）：４８４−９１］を使用して得た。このホモ
ロジーモデリングはリン酸化形態のＣＤＫ２（ＰＤＢ登録コード１ＪＳＴ）を鋳
型として使用して構築した。この初期分子置換解は、５３．９％のＲ因子を有す
るモデルを与えた。次いで、このモデルを数ラウンドの精緻化マクロサイクル（
ｒｅｆｉｎｅｍｅｎｔ  ｍａｃｒｏｃｙｃｌｅ）を介して処理した。代表的な精
緻化マクロサイクルは、１００〜２００ラウンドの共役勾配最小化法、ねじれま
たは古典力学（Ｃａｒｔｅｓｉａｎ  ｄｙｎａｍｉｃｓ）のいずれかを使用した
シミュレーティッドアニーリングおよびグループ化されたかまたは個々の温度因
子計算からなる。全ての精緻手順を、プログラムＣＮＸ（Ｍｏｌｅｃｕｌａｒ  
Ｓｉｍｕｌａｔｉｏｎ，Ｉｎｃ．）を使用して実行した。この後に、プログラム
Ｏ（ＤＡＴＡＯＮＯ  ＡＢ）を使用する、新しい電子密度マップの計算およびこ
れらのマップ中のいくつかの特徴に基づいたモデルの手動による再構築が続く。
データのＣ２２２（１）セットにおける３０Å〜２．８Åからなる全てのデータ
を使用した。精緻化の数多くのマクロサイクルに関わらず、このモデルを３５％
のＲ因子（フリーＲ因子０．４１）よりも改善することは不可能である。正確で
ない構造に対するこの偏りは、高分解能データの欠如および精緻化における測定
可能なデータに対するパラメータの低比率に起因する。
【００７３】
この偏りを緩和するために、交差結晶平均化（ｃｒｏｓｓ−ｃｒｙｓｔａｌ  
ａｖｅｒａｇｉｎｇ）を使用して初期の分子置換の解によって提供される位相の
改善を行った。交差結晶平均化において、この構造の２以上の別個の「描像（ｖ
ｉｅｗ）」が、多くの異なった単位格子の寸法および／または空間群の結晶から
得られた。これらの描像の電子密度は、次いで、平均化されそして、電子密度の
フーリエ再構築および別個の結晶の各々の実際の電子密度の改善された描像のた
めのより正確な位相を提供する。交差結晶平均化について、Ｃ２２２（１）の結
晶データセットおよびＣ２結晶データセット（ＧＳＫ３結晶を１〜３ｍＭの化合
物１（以下に例示する）を浸すことから得られる）を使用した。このＣ２結晶形
態について、部分的に精緻化したＧＳＫ３−βモデルを使用して２つの分子置換
解を得た；これらの解は２分子のＧＳＫ３−βをＣ２単位格子の非対称単位に示
す。次いで、Ｃ２２２（１）結晶形態の分子とＣ２結晶の分子との間の実数空間
変換（ｒｅａｌ−ｓｐａｃｅ  ｔｒａｎｓｆｏｒｍ）を、計算した。この後に、
このＣ２２２（１）結晶形態における精緻マクロサイクルにわたる１０構造のア
ンサンブルからえられた位相および成績の指標（ｆｉｇｕｒｅｓ−ｏｆ−ｍｅｒ
ｉｔ）を、プログラムＤＭＭＵＬＴＩ［Ｋ．Ｃｏｗｔａｎ．Ｊｏｉｎｔ  ＣＣＰ
４  ａｎｄ  ＥＳＦ−ＥＡＣＢＭ  Ｎｅｗｓｌｅｔｔｅｒ  ｏｎ  Ｐｒｏｔｅｉ
ｎ  Ｃｒｙｓｔａｌｌｏｇｒａｐｈｙ  １９９４；  ３１，ｐｐ  ３４−３８］
を使用して、Ｃ２結晶から得られたデータに対して平均化し、そして、全てのデ
ータは２．７Åであった。１００サイクルの平均化、溶媒の平坦化（ｓｏｌｖｅ
ｎｔ−ｆｌａｔｔｅｎｉｎｇ）、およびヒストグラムマッチングを実施した。こ
の後に、改善した電子密度を計算し、そしてこのモデルを再構築し、その後別の
精緻マクロサイクル、および別のラウンドの結晶平均化を行った。合計５回の平
均化／精緻化サイクルを実施した。２〜５のサイクルにおいて、主要な誤差をＣ
２２２（ｌ）モデルにおいて見いだし、そして、修正し、そしてこの高分子の残
りの部分（残基３７−３８４）を構築した。この最終的なＣ２２２（ｌ）結晶構
造は、生物学的に関連のある分子、７９の水および１つの推定される塩化物イオ
ンからなり、そしてこの結晶は３０Å〜２．７Åのデータを使用して２２．４６
％のＲ因子および２８．２２％のフリーＲ因子を有する。
【００７４】
【化２】
2006221669.tif 000175
Ｃ２２２（１）結晶構造の精緻化の完了の後に、得られたモデルと原子置換を
使用して、２つの浸した化合物のＣ２結晶およびＰ２２２（１）におけるこの分
子の位置および構造を決定した。現在の最良のＧＳＫ３−β構造は、化合物２（
以下に例示する）を浸した間に得られたＰ２２２（１）結晶形態由来であり、こ
れは２．２Åで回折する。この構造は、非対象単位にある生物学的に関連する高
分子の２つのコピー、３３６個の水、６個のグリセロールからなり；この構造は
、３０Å〜２．２Åのデータを使用して２６．２％のＲ因子および３０．８％の
フリーＲ因子を有している。化合物２は、活性部位において観察するために十分
に高い占有率に達していない。
【００７５】
【化３】
2006221669.tif 000176
このアプローチを使用して、このときの利用可能なデータの収集の容易さの限
定された性質に起因する構造を決定した。より通常の方法（単一／複数の同形置
換もしくはＭＡＤ位相化単独かまたは分子置換と組み合わせて）が同様に使用さ
れてきた。これらの方法および他の結晶学的な原理の詳細はＢ．Ｋ．Ｓｈｏｉｃ
ｈｅｔおよびＤ．Ｅ．Ｂｕｓｓｉｅｒｅ，Ｔｈｅ  ｒｏｌｅ  ｏｆ  ｍａｃｒｏ
ｍｏｌｅｃｕｌａｒ  ｃｒｙｓｔａｌｌｏｇｒａｐｈｙ  ａｎｄ  ｓｔｒｕｃｔ
ｕｒｅ  ｆｏｒ  ｄｒｕｇ  ｄｉｓｃｏｖｅｒｙ：ａｄｖａｎｃｅ  ａｎｄ  ｃ
ａｖｅａｔｓ  Ｃｕｒｒｅｎｔ  Ｏｐｉｎｉｏｎ  ｉｎ  Ｄｒｕｇ  Ｄｉｓｃｏ
ｖｅｒｙ  ＆  Ｄｅｖｅｌｏｐｍｅｎｔ  ２０００；３（４）４０８〜４２２に
見出される。
【００７６】
本発明の好ましい実施形態が例示され、記述されてきたが、さまざまな変化が
本明細書中で本発明の精神および範囲から逸脱することなしになされ得ることが
理解される。
【００７７】
本発明の前述の局面および多くの付属する利点は、添付の図面と組み合わせて
考慮した場合、以下の詳細な説明を参照することによって、さらに容易に理解さ
れる。
【図面の簡単な説明】
【００７８】
【図１】図１は、ＧＳＫ３−β構築物の構造の例示である。
【図２】図２は、ＧＳＫ３−β構築物の活性部位の構造の例示である。
【図３】図３は、ＧＳＫ３−β活性を媒介する可能性のある治療用化合物を同定するための、ＧＳＫ３−β構築物の３次元構造を用いる、本発明の代表的方法のフローチャートである。
【図４】図４は、ＧＳＫ３−β活性を媒介する可能性のある治療用化合物を同定するための、ＧＳＫ３−β構築物の３次元構造を用いる、本発明の代表的方法のフローチャートである。
【図１】
2006221669.tif 000177
【図２】
2006221669.tif 000178
【図３】
2006221669.tif 000179
【図４】
2006221669.tif 000180
【配列表】
2006221669000001.app